(57)【要約】【課題】テキストデータによるテキスト、画像データによる画像等の表示内容を含むコンテンツに適用することで、学習効率を高めることが可能な表示処理装置、表示処理方法、表示処理プログラム及び記録媒体を提供する。【解決手段】表示処理装置の表示領域１２１ａに、色データが付与された表示内容を表示し、かつ表示領域１２１ａに、背景色を赤等の色に変更した変色領域Ａ２を設定する。変色領域Ａ２に表示される表示内容においては、背景色と同色の色データが付与された表示内容が不可視状態となる。さらに、変色領域Ａ２内に、不可視化から除外する除外領域Ａ３を設定することができる。【選択図】図１３
2014052667.tif 000002
【特許請求の範囲】
【請求項１】
色データが付与された表示内容を含むコンテンツデータを記録している記録部と、コンテンツデータに含まれる表示内容を表示する表示領域と、前記表示領域に表示された表示内容に対する操作を受け付ける入力部とを備え、前記記録部に記録されているコンテンツデータに含まれる表示内容を、設定された背景色を背景として、付与されている色データに基づく色で前記表示領域に表示する表示処理装置であって、
前記表示領域内に、背景色を変更背景色とした変色領域を設定する領域設定手段と、
前記変色領域に表示すべき表示内容のうち、変更背景色に係る色データが付与された表示内容を不可視化する変色手段と、
前記変色領域内の一部の領域を、前記変色領域から除外する除外領域として設定する操作を、前記入力部から受け付ける除外設定手段と、
前記除外領域内を、前記変色領域から除外する除外手段と
を備えることを特徴とする表示処理装置。
【請求項２】
請求項１に記載の表示処理装置であって、
表示内容に対する指定を、前記入力部から受け付ける指定受付手段と、
指定された表示内容の表示色を変更する指定変色手段と、
表示色を変更した表示内容のうち、前記変色領域内に表示すべき表示内容を不可視化する指定不可視化手段と
を備えることを特徴とする表示処理装置。
【請求項３】
表示用のコンテンツデータを記録している記録部と、コンテンツデータに含まれる表示内容を表示する表示領域と、前記表示領域に表示された表示内容に対する操作を受け付ける入力部とを備え、前記記録部に記録されているコンテンツデータに含まれる表示内容を、設定された背景色を背景として、前記表示領域に表示する表示処理装置であって、
表示内容に対する指定を、前記入力部から受け付ける指定受付手段と、
指定された表示内容の表示色を変更する指定変色手段と、
前記表示領域内に、背景色を変更背景色とした変色領域を設定する領域設定手段と、
表示色を変更した表示内容のうち、前記変色領域に表示すべき表示内容を不可視化する指定不可視化手段と、
前記変色領域内の一部の領域を、前記変色領域から除外する除外領域として設定する操作を、前記入力部から受け付ける除外設定手段と、
前記除外領域内を、前記変色領域から除外する除外手段と
を備えることを特徴とする表示処理装置。
【請求項４】
請求項２又は請求項３に記載の表示処理装置であって、
前記表示内容は、テキストデータを含み、
前記指定受付手段は、前記表示内容に含まれているテキストデータに対し、文字単位で指定を受け付ける
ことを特徴とする表示処理装置。
【請求項５】
請求項２又は請求項３に記載の表示処理装置であって、
前記表示内容は、画像を示す画像データを含み、
前記指定受付手段は、前記表示内容に含まれている画像データに対し、画像内の一部又は全部の指定を受け付ける
ことを特徴とする表示処理装置。
【請求項６】
請求項１から請求項５までのいずれか１項に記載の表示処理装置であって、
前記表示内容は、テキストデータを含み、
前記除外設定手段は、前記表示内容に含まれるテキストデータに対し、文字単位で除外領域を設定する
ことを特徴とする表示処理装置。
【請求項７】
請求項１から請求項５までのいずれか１項に記載の表示処理装置であって、
前記除外設定手段は、任意の形状の除外領域を設定する
ことを特徴とする表示処理装置。
【請求項８】
請求項１から請求項７までのいずれか１項に記載の表示処理装置であって、
前記変色領域の位置を変更させる操作を、前記入力部から受け付ける手段と、
受け付けた操作に基づいて、指定された前記変色領域の位置を変更する手段と
を備え、
前記除外領域の位置は、前記変色領域の位置の変更に関わらず、表示内容に係る位置に対応している
ことを特徴とする表示処理装置。
【請求項９】
請求項１から請求項８までのいずれか１項に記載の表示処理装置であって、
前記表示領域に表示する表示内容を移動させる操作を、前記入力部から受け付ける手段と、
受け付けた操作に基づいて、前記表示領域に表示する表示内容及び前記除外領域を移動する手段と
を備えることを特徴とする表示処理装置。
【請求項１０】
請求項１から請求項９までのいずれか１項に記載の表示処理装置であって、
前記変色手段は、不可視化として、変更背景色に係る色データが付与された表示内容を非表示、又は変更背景色と同色若しくは近似色での表示とすることを特徴とする表示処理装置。
【請求項１１】
色データが付与された表示内容を含むコンテンツデータを記録している記録部と、コンテンツデータに含まれる表示内容を表示する表示領域と、前記表示領域に表示された表示内容に対する操作を受け付ける入力部とを備える表示処理装置に、前記記録部に記録されているコンテンツデータに含まれる表示内容を、設定された背景色を背景として、付与されている色データに基づく色で前記表示領域に表示する表示処理方法であって、
前記表示処理装置は、
前記表示領域内に、背景色を変更背景色とした変色領域を設定する領域設定ステップと、
前記変色領域に表示すべき表示内容のうち、変更背景色に係る色データが付与された表示内容を不可視化する変色ステップと、
前記変色領域内の一部の領域を、前記変色領域から除外する除外領域として設定する操作を、前記入力部から受け付ける除外設定ステップと、
前記除外領域内を、前記変色領域から除外する除外ステップと
を実行することを特徴とする表示処理方法。
【請求項１２】
色データが付与された表示内容を含むコンテンツデータを記録している記録部と、コンテンツデータに含まれる表示内容を表示する表示領域と、前記表示領域に表示された表示内容に対する操作を受け付ける入力部とを備えるコンピュータに、前記記録部に記録されているコンテンツデータに含まれる表示内容を、設定された背景色を背景として、付与されている色データに基づく色で前記表示領域に表示する表示処理プログラムであって、
コンピュータに、
前記表示領域内に、背景色を変更背景色とした変色領域を設定する領域設定手順と、
前記変色領域に表示すべき表示内容のうち、変更背景色に係る色データが付与された表示内容を不可視化する変色手順と、
前記変色領域内の一部の領域を、前記変色領域から除外する除外領域として設定する操作を、前記入力部から受け付ける除外設定手順と、
前記除外領域内を、前記変色領域から除外する除外手順と
を実行させることを特徴とする表示処理プログラム。
【請求項１３】
色データが付与された表示内容を含むコンテンツデータを記録している記録部と、コンテンツデータに含まれる表示内容を表示する表示領域と、前記表示領域に表示された表示内容に対する操作を受け付ける入力部とを備えるコンピュータに、前記記録部に記録されているコンテンツデータに含まれる表示内容を、設定された背景色を背景として、付与されている色データに基づく色で前記表示領域に表示する表示処理プログラムを記録してある、コンピュータでの読み取りが可能な記録媒体であって、
コンピュータに、
前記表示領域内に、背景色を変更背景色とした変色領域を設定する領域設定手順と、
前記変色領域に表示すべき表示内容のうち、変更背景色に係る色データが付与された表示内容を不可視化する変色手順と、
前記変色領域内の一部の領域を、前記変色領域から除外する除外領域として設定する操作を、前記入力部から受け付ける除外設定手順と、
前記除外領域内を、前記変色領域から除外する除外手順と
を実行させる表示処理プログラムを記録してあることを特徴とするコンピュータでの読み取りが可能な記録媒体。
【発明の詳細な説明】
【技術分野】
【０００１】
本発明は、コンテンツデータに基づく表示内容を表示領域に表示させる表示処理装置、そのような表示処理装置を用いた表示処理方法、そのような表示処理装置を実現するための表示処理プログラム、及びそのような表示処理プログラムを記録してあるコンピュータでの読み取りが可能な記録媒体に関し、特に、表示用のコンテンツデータを記録している記録部と、コンテンツデータに含まれる表示内容を表示する表示領域と、前記表示領域内に表示された表示内容の操作を受け付ける入力部とを備え、前記記録部に記録されているコンテンツデータに含まれる表示内容を、設定された背景色を背景として、前記表示領域に表示する表示処理装置、表示処理方法、表示処理プログラム及び記録媒体に関する。
【背景技術】
【０００２】
単語を登録しているユーザ辞書部を備え、登録されている単語を、必要に応じて読み出し、読み出した単語を表示部に表示する様々な電子機器が普及している（例えば、特許文献１参照。）。
【０００３】
また、最近では、各種学生、各種受験生等の学習者が、受験勉強等の学習を行う際に、電子機器を利用する機会が増加しており、例えば、英単語を学習するための学習用装置として機能する電子機器も普及し始めている。
【先行技術文献】
【特許文献】
【０００４】
【特許文献１】特開２００５−０９２６８７号公報
【発明の概要】
【発明が解決しようとする課題】
【０００５】
しかしながら、従来の装置では、例えば、問題に対して解答する問題集形式のものと、英単語及びその意味を一覧列記した単語帳に類するものとがそれぞれ独立していることから、利便性に欠けるとの心証を与える場合もあった。
【０００６】
本発明はこのような状況に鑑みてなされたものであり、例えば、単語帳として使用可能な学習教材をデータ化したコンテンツデータに含まれる表示内容の一部を不可視化する。しかも、不可視化した表示内容のうち、指定された領域については不可視化の対象から除外することにより、学習効率を高めることが可能な表示処理装置の提供を目的とする。
【０００７】
また、本発明は、本発明に係る表示処理装置を適用することによって、学習効率を高めることが可能な表示処理方法の提供を他の目的とする。
【０００８】
また、本発明は、本発明に係る表示処理装置を実現する表示処理プログラムの提供を他の目的とする。
【０００９】
また、本発明は、本発明に係る表示処理プログラムを記録してある記録媒体の提供を他の目的とする。
【課題を解決するための手段】
【００１０】
上記課題を解決するため、本発明に係る表示処理装置は、色データが付与された表示内容を含むコンテンツデータを記録している記録部と、コンテンツデータに含まれる表示内容を表示する表示領域と、前記表示領域に表示された表示内容に対する操作を受け付ける入力部とを備え、前記記録部に記録されているコンテンツデータに含まれる表示内容を、設定された背景色を背景として、付与されている色データに基づく色で前記表示領域に表示する表示処理装置であって、前記表示領域内に、背景色を変更背景色とした変色領域を設定する領域設定手段と、前記変色領域に表示すべき表示内容のうち、変更背景色に係る色データが付与された表示内容を不可視化する変色手段と、前記変色領域内の一部の領域を、前記変色領域から除外する除外領域として設定する操作を、前記入力部から受け付ける除外設定手段と、前記除外領域内を、前記変色領域から除外する除外手段とを備えることを特徴とする。
【００１１】
したがって、本発明に係る表示処理装置では、例えば、学習教材の一部の表示内容を不可視化することにより、例えば、透明な赤シートで学習教材の記載事項の一部を隠す行為を模した使い方をすることができる。しかも、不可視化した表示内容のうち、設定した除外領域については不可視化の対象から除外することができる。
【００１２】
また、本発明に係る表示処理装置にあっては、表示内容に対する指定を、前記入力部から受け付ける指定受付手段と、指定された表示内容の表示色を変更する指定変色手段と、表示色を変更した表示内容のうち、前記変色領域内に表示すべき表示内容を不可視化する指定不可視化手段とを備えることを特徴とする。
【００１３】
したがって、本発明では、学習者が指定した任意の表示内容についても、変色領域内に入った場合に不可視化することにより、例えば、蛍光ペンによるマーキングを模した使い方をすることができ、学習者の弱点となる内容を効果的に学習することができる。
【００１４】
本発明に係る表示処理装置は、表示用のコンテンツデータを記録している記録部と、コンテンツデータに含まれる表示内容を表示する表示領域と、前記表示領域に表示された表示内容に対する操作を受け付ける入力部とを備え、前記記録部に記録されているコンテンツデータに含まれる表示内容を、設定された背景色を背景として、前記表示領域に表示する表示処理装置であって、表示内容に対する指定を、前記入力部から受け付ける指定受付手段と、指定された表示内容の表示色を変更する指定変色手段と、前記表示領域内に、背景色を変更背景色とした変色領域を設定する領域設定手段と、表示色を変更した表示内容のうち、前記変色領域に表示すべき表示内容を不可視化する指定不可視化手段と、前記変色領域内の一部の領域を、前記変色領域から除外する除外領域として設定する操作を、前記入力部から受け付ける除外設定手段と、前記除外領域内を、前記変色領域から除外する除外手段とを備えることを特徴とする。
【００１５】
したがって、本発明に係る表示処理装置では、例えば、学習教材の表示内容のうちで、学習者が指定した任意の表示内容については、変色領域内に入った場合に不可視化する。これにより、例えば、蛍光ペンによるマーキングを行った内容を透明な赤シートで隠す行為を模した使い方をすることができる。しかも、不可視化した表示内容のうち、設定した除外領域については不可視化の対象から除外することができる。
【００１６】
また、本発明に係る表示処理装置は、前記表示内容は、テキストデータを含み、前記指定受付手段は、前記表示内容に含まれているテキストデータに対し、文字単位で指定を受け付けることを特徴とする。
【００１７】
したがって、本発明では、テキストデータに対しては、文字単位のマーキングを模した使い方をすることができる。
【００１８】
また、本発明に係る表示処理装置は、前記表示内容は、画像を示す画像データを含み、前記指定受付手段は、前記表示内容に含まれている画像データに対し、画像内の一部又は全部の指定を受け付けることを特徴とする。
【００１９】
したがって、本発明では、画像データに対しては、画像の全部又は一部に対するマーキングを模した使い方をすることができる。
【００２０】
また、本発明に係る表示処理装置は、前記表示内容は、テキストデータを含み、前記除外設定手段は、前記表示内容に含まれるテキストデータに対し、文字単位で除外領域を設定することを特徴とする。
【００２１】
したがって、本発明では、テキストデータに対しては、文字単位で変色領域から除外することができる。
【００２２】
また、本発明に係る表示処理装置は、前記除外設定手段は、任意の形状の除外領域を設定することを特徴とする。
【００２３】
したがって、本発明では、グラフ、数式、絵、写真等の様々な表示内容の任意の領域を除外領域として設定することができる。
【００２４】
また、本発明に係る表示処理装置は、前記変色領域の位置を変更させる操作を、前記入力部から受け付ける手段と、受け付けた操作に基づいて、指定された前記変色領域の位置を変更する手段とを備え、前記除外領域の位置は、前記変色領域の位置の変更に関わらず、表示内容に係る位置に対応していることを特徴とする。
【００２５】
したがって、本発明では、例えば、学習教材に重畳した赤シートをずらす行為を模した使い方をすることができる。しかも指定領域については、変色領域の位置の変化に関わらず、指定された表示内容を可視化する。
【００２６】
また、本発明に係る表示処理装置は、前記表示領域に表示する表示内容を移動させる操作を、前記入力部から受け付ける手段と、受け付けた操作に基づいて、前記表示領域に表示する表示内容及び前記除外領域を移動する手段とを備えることを特徴とする。
【００２７】
したがって、本発明では、例えば、赤シートを重畳した学習教材をずらす行為を模した使い方をすることができる。しかも、実際の単語帳のようにページを変更する必要がなく、また指定領域の指定された表示内容については可視化状態が維持される。
【００２８】
また、本発明に係る表示処理装置にあっては、前記変色手段は、不可視化として、変更背景色に係る色データが付与された表示内容を非表示、又は変更背景色と同色若しくは近似色での表示とすることを特徴とする。
【００２９】
したがって、本発明では、表示内容を非表示とすることで、視認できないようにすることができ、又は、背景色と同色で表示することで、識別できないようにすることができ、若しくは、背景色と近似色で表示することで、視認し難くすることができる。
【００３０】
本発明に係る表示処理方法は、色データが付与された表示内容を含むコンテンツデータを記録している記録部と、コンテンツデータに含まれる表示内容を表示する表示領域と、前記表示領域に表示された表示内容に対する操作を受け付ける入力部とを備える表示処理装置に、前記記録部に記録されているコンテンツデータに含まれる表示内容を、設定された背景色を背景として、付与されている色データに基づく色で前記表示領域に表示する表示処理方法であって、前記表示処理装置は、前記表示領域内に、背景色を変更背景色とした変色領域を設定する領域設定ステップと、前記変色領域に表示すべき表示内容のうち、変更背景色に係る色データが付与された表示内容を不可視化する変色ステップと、前記変色領域内の一部の領域を、前記変色領域から除外する除外領域として設定する操作を、前記入力部から受け付ける除外設定ステップと、前記除外領域内を、前記変色領域から除外する除外ステップとを実行することを特徴とする。
【００３１】
したがって、本発明に係る表示処理方法では、例えば、学習教材の一部の表示内容を不可視化することにより、例えば、透明な赤シートで学習教材の記載事項の一部を隠す行為を模した使い方をすることができる。しかも、不可視化した表示内容のうち、設定した除外領域については不可視化の対象から除外することができる。
【００３２】
本発明に係る表示処理プログラムは、色データが付与された表示内容を含むコンテンツデータを記録している記録部と、コンテンツデータに含まれる表示内容を表示する表示領域と、前記表示領域に表示された表示内容に対する操作を受け付ける入力部とを備えるコンピュータに、前記記録部に記録されているコンテンツデータに含まれる表示内容を、設定された背景色を背景として、付与されている色データに基づく色で前記表示領域に表示する表示処理プログラムであって、コンピュータに、前記表示領域内に、背景色を変更背景色とした変色領域を設定する領域設定手順と、前記変色領域に表示すべき表示内容のうち、変更背景色に係る色データが付与された表示内容を不可視化する変色手順と、前記変色領域内の一部の領域を、前記変色領域から除外する除外領域として設定する操作を、前記入力部から受け付ける除外設定手順と、前記除外領域内を、前記変色領域から除外する除外手順とを実行させることを特徴とする。
【００３３】
したがって、本発明に係る表示処理プログラムでは、コンピュータにて実行することにより、コンピュータが本発明の表示処理装置として機能する。よって、例えば、学習教材の一部の表示内容を不可視化することにより、例えば、透明な赤シートで学習教材の記載事項の一部を隠す行為を模した使い方をすることができる。しかも、不可視化した表示内容のうち、設定した除外領域については不可視化の対象から除外することができる。
【００３４】
本発明に係るコンピュータでの読み取りが可能な記録媒体は、色データが付与された表示内容を含むコンテンツデータを記録している記録部と、コンテンツデータに含まれる表示内容を表示する表示領域と、前記表示領域に表示された表示内容に対する操作を受け付ける入力部とを備えるコンピュータに、前記記録部に記録されているコンテンツデータに含まれる表示内容を、設定された背景色を背景として、付与されている色データに基づく色で前記表示領域に表示する表示処理プログラムを記録してある、コンピュータでの読み取りが可能な記録媒体であって、コンピュータに、前記表示領域内に、背景色を変更背景色とした変色領域を設定する領域設定手順と、前記変色領域に表示すべき表示内容のうち、変更背景色に係る色データが付与された表示内容を不可視化する変色手順と、前記変色領域内の一部の領域を、前記変色領域から除外する除外領域として設定する操作を、前記入力部から受け付ける除外設定手順と、前記除外領域内を、前記変色領域から除外する除外手順とを実行させる表示処理プログラムを記録してあることを特徴とする。
【００３５】
したがって、本発明に係る記録媒体は、記録されているプログラムをコンピュータにて読み取って実行することにより、コンピュータが本発明の表示処理装置として機能する。よって、例えば、学習教材の一部の表示内容を不可視化することにより、例えば、透明な赤シートで学習教材の記載事項の一部を隠す行為を模した使い方をすることができる。しかも、不可視化した表示内容のうち、設定した除外領域については不可視化の対象から除外することができる。
【発明の効果】
【００３６】
本発明に係る表示処理装置、表示処理方法、表示処理プログラム及び記録媒体は、コンテンツデータに係る表示内容を表示領域に表示し、表示した表示内容のうちで、適宜位置を変更することが可能な変色領域に含まれる部分については、特定の色の色データが付与された表示内容、指定された表示内容等の表示内容を不可視化する。さらに、変色領域の一部の領域が除外領域として指定された場合、除外領域内は、変色領域から除外するように設定する。これにより、表示内容の一部を適宜視認することができなくなるように指定することができ、しかも、視認することができないようにした表示内容の一部を再視認することができるように設定することができる。よって、学習者の学習形態に応じて様々な使用方法で使用するこができ、学習効率を高めることが可能である等、優れた効果を奏する。
【図面の簡単な説明】
【００３７】
【図１】本発明に係る表示処理装置の一例を示す概略斜視図である。
【図２】本発明に係る表示処理装置のハードウェア構成の一例を示すブロック図である。
【図３】本発明に係る表示処理装置が備えるコンテンツデータに含まれるテキストデータの一例を概念的に示す説明図である。
【図４】本発明の表示処理装置の表示領域に表示された画像の一例を示す説明図である。
【図５】本発明に係る表示処理装置のコンテンツ使用開始処理の一例を示すフローチャートである。
【図６】本発明に係る表示処理装置の表示領域に表示された画像の一例を示す説明図である。
【図７】本発明に係る表示処理装置の表示色指定変更処理の一例を示すフローチャートである。
【図８Ａ】本発明に係る表示処理装置の表示領域に表示された画像及び操作の一例を概念的に示す説明図である。
【図８Ｂ】本発明に係る表示処理装置の表示領域に表示された画像及び操作の一例を概念的に示す説明図である。
【図９Ａ】本発明に係る表示処理装置の表示領域に表示された画像及び操作の一例を概念的に示す説明図である。
【図９Ｂ】本発明に係る表示処理装置の表示領域に表示された画像及び操作の一例を概念的に示す説明図である。
【図１０】本発明に係る表示処理装置の変色領域設定処理の一例を示すフローチャートである。
【図１１】本発明に係る表示処理装置の表示領域に表示された画像及び操作の一例を概念的に示す説明図である。
【図１２】本発明に係る表示処理装置の除外領域設定処理の一例を示すフローチャートである。
【図１３】本発明に係る表示処理装置の表示領域に表示された画像の一例を示す説明図である。
【図１４】本発明に係る表示処理装置の表示領域に表示された画像の一部の例を拡大して概念的に示す説明図である。
【図１５】本発明に係る表示処理装置の表示領域に表示された画像の一例を示す説明図である。
【図１６Ａ】本発明に係る表示処理装置の表示領域操作受付処理の一例を示すフローチャートである。
【図１６Ｂ】本発明に係る表示処理装置の表示領域操作受付処理の一例を示すフローチャートである。
【図１７】本発明に係る表示処理装置の表示内容移動処理の一例を示すフローチャートである。
【図１８Ａ】本発明に係る表示処理装置の表示領域に表示された画像及び操作の一例を概念的に示す説明図である。
【図１８Ｂ】本発明に係る表示処理装置の表示領域に表示された画像及び操作の一例を概念的に示す説明図である。
【図１９Ａ】本発明に係る表示処理装置の表示領域に表示された画像及び操作の一例を概念的に示す説明図である。
【図１９Ｂ】本発明に係る表示処理装置の表示領域に表示された画像及び操作の一例を概念的に示す説明図である。
【図２０】本発明に係る表示処理装置の変色領域移動処理の一例を示すフローチャートである。
【図２１Ａ】本発明に係る表示処理装置の表示領域に表示された画像及び操作の一例を概念的に示す説明図である。
【図２１Ｂ】本発明に係る表示処理装置の表示領域に表示された画像及び操作の一例を概念的に示す説明図である。
【図２２Ａ】本発明に係る表示処理装置の表示領域に表示された画像及び操作の一例を概念的に示す説明図である。
【図２２Ｂ】本発明に係る表示処理装置の表示領域に表示された画像及び操作の一例を概念的に示す説明図である。
【図２３】本発明に係る表示処理装置の除外領域設定処理（側方）の一例を示すフローチャートである。
【図２４Ａ】本発明に係る表示処理装置の表示領域に表示された画像及び操作の一例を概念的に示す説明図である。
【図２４Ｂ】本発明に係る表示処理装置の表示領域に表示された画像及び操作の一例を概念的に示す説明図である。
【図２５】本発明に係る表示処理装置の除外領域解除処理（側方）の一例を示すフローチャートである。
【図２６Ａ】本発明に係る表示処理装置の表示領域に表示された画像及び操作の一例を概念的に示す説明図である。
【図２６Ｂ】本発明に係る表示処理装置の表示領域に表示された画像及び操作の一例を概念的に示す説明図である。
【図２７Ａ】本発明に係る表示処理装置の表示領域に表示された画像及び操作の一例を概念的に示す説明図である。
【図２７Ｂ】本発明に係る表示処理装置の表示領域に表示された画像及び操作の一例を概念的に示す説明図である。
【図２８】本発明に係る表示処理装置の除外領域設定／解除処理の一例を示すフローチャートである。
【図２９Ａ】本発明に係る表示処理装置の表示領域に表示された画像及び操作の一例を概念的に示す説明図である。
【図２９Ｂ】本発明に係る表示処理装置の表示領域に表示された画像及び操作の一例を概念的に示す説明図である。
【図３０Ａ】本発明に係る表示処理装置の表示領域に表示された画像及び操作の一例を概念的に示す説明図である。
【図３０Ｂ】本発明に係る表示処理装置の表示領域に表示された画像及び操作の一例を概念的に示す説明図である。
【図３１Ａ】本発明に係る表示処理装置の表示領域に表示された画像及び操作の一例を概念的に示す説明図である。
【図３１Ｂ】本発明に係る表示処理装置の表示領域に表示された画像及び操作の一例を概念的に示す説明図である。
【図３２Ａ】本発明に係る表示処理装置の表示領域に表示された画像及び操作の一例を概念的に示す説明図である。
【図３２Ｂ】本発明に係る表示処理装置の表示領域に表示された画像及び操作の一例を概念的に示す説明図である。
【図３３】本発明に係る表示処理装置の除外領域設定処理（テキスト）の一例を示すフローチャートである。
【図３４Ａ】本発明に係る表示処理装置の表示領域に表示された画像及び操作の一例を概念的に示す説明図である。
【図３４Ｂ】本発明に係る表示処理装置の表示領域に表示された画像及び操作の一例を概念的に示す説明図である。
【図３５】本発明に係る表示処理装置の除外領域解除処理（テキスト）の一例を示すフローチャートである。
【図３６Ａ】本発明に係る表示処理装置の表示領域に表示された画像及び操作の一例を概念的に示す説明図である。
【図３６Ｂ】本発明に係る表示処理装置の表示領域に表示された画像及び操作の一例を概念的に示す説明図である。
【図３７】本発明に係る表示処理装置の除外領域設定処理（画像）の一例を示すフローチャートである。
【図３８Ａ】本発明に係る表示処理装置の表示領域に表示された画像及び操作の一例を概念的に示す説明図である。
【図３８Ｂ】本発明に係る表示処理装置の表示領域に表示された画像及び操作の一例を概念的に示す説明図である。
【図３９】本発明に係る表示処理装置の除外領域解除処理（画像）の一例を示すフローチャートである。
【図４０Ａ】本発明に係る表示処理装置の表示領域に表示された画像及び操作の一例を概念的に示す説明図である。
【図４０Ｂ】本発明に係る表示処理装置の表示領域に表示された画像及び操作の一例を概念的に示す説明図である。
【図４１】本発明に係る表示処理装置の除外領域解除処理（全範囲）の一例を示すフローチャートである。
【図４２Ａ】本発明に係る表示処理装置の表示領域に表示された画像及び操作の一例を概念的に示す説明図である。
【図４２Ｂ】本発明に係る表示処理装置の表示領域に表示された画像及び操作の一例を概念的に示す説明図である。
【発明を実施するための形態】
【００３８】
以下、本発明の実施の形態について図面を参照しながら説明する。なお、以下の実施の形態は、本発明を具現化した例であって、本発明の技術的範囲を限定する性格のものではない。
【００３９】
本発明に係る表示処理装置は、例えば、コンピュータの一種である電子辞書等の小型携帯型学習装置として具現化することができ、本実施の形態では、電子辞書として具現化した本発明の表示処理装置を例にとって説明する。
【００４０】
まず、本発明の表示処理装置の全体構成について説明する。図１は、本発明に係る表示処理装置の一例を示す概略斜視図である。
【００４１】
図１に示す表示処理装置１００は、上側本体部１１１と下側本体部１１２と蝶番機構１１３とで構成されており、上側本体部１１１と下側本体部１１２とが蝶番機構１１３とによって折りたたみ可能に結合されている。詳しくは、上側本体部１１１及び下側本体部１１２は、いずれも略同サイズで左右方向に長い形状のものとされており、上側本体部１１１及び下側本体部１１２が短手方向の一端部で左右方向に沿った回動軸を中心に回動自在に連結されている。
【００４２】
上側本体部１１１には、液晶タッチパネル等の表示入力部１２０が設けられている。表示入力部１２０は、矩形薄膜状の液晶パネル等の表示部１２１と、矩形薄膜状のタッチパネル等の入力部１２２とを重畳して形成されており、表示部１２１は、画像を表示する矩形状の表示領域１２１ａを有している。なお、表示部１２１は、液晶パネルに限らず、有機ＥＬパネル、プラズマパネル等の表示部品を用いて構成することができる。入力部１２２は、赤外線を用いた接触センサ、感圧センサ、静電容量センサ等の各種センサを用いて構成され、表示領域１２１ａに対して、指、又はタッチペン等の指示具１４０が接触した場合に、その接触位置を入力位置として検出する。
【００４３】
下側本体部１１２は、サブ液晶タッチパネル等のサブ表示入力部１３０が設けられている。サブ表示入力部１３０の構成は、実質的に表示入力部１２０と同様であり、サブ表示領域１３１ａを有するサブ表示部１３１と、サブ入力部１３２とを有している。
【００４４】
また、下側本体部１１２は、キー入力操作を受け付ける操作部１５０を更に有している。操作部１５０には、ユーザによる入力操作を受け付ける各種入力キー１５１が設けられている。入力キー１５１には、各種メニューキー１５１ａ、決定キー１５１ｂ、機能キー１５１ｃ、学習帳キー１５１ｄ、カーソルキー１５１ｅ、プレビューキー１５１ｆ等の各種キーが含まれている。
【００４５】
また、下側本体部１１２は、側部にメモリスロット等の補助記憶部１６０を有しており、フラッシュメモリを用いたＳＤメモリーカード等の記録媒体ＲＥＣを挿入することにより、記録媒体ＲＥＣに対してアクセスし、情報の読み書きをすることができる。なお、記録媒体ＲＥＣとしては、フラッシュメモリ等の半導体メディアに限らず、ＣＤ−ＲＯＭ、ＤＶＤ−ＲＯＭ等の光学メディア等、情報を記録する様々な媒体を用いることが可能である。
【００４６】
図２は、本発明に係る表示処理装置１００のハードウェア構成の一例を示すブロック図である。表示処理装置１００は、装置全体を制御する制御ユニット１７０を備えている。制御ユニット１７０は、表示入力部１２０の表示部１２１及び入力部１２２、サブ表示入力部１３０のサブ表示部１３１及びサブ入力部１３２、各種入力キー１５１並びに補助記憶部１６０に接続されている。さらに、表示処理装置１００は、加速度センサ等の方向検出部１８０を備えており、方向検出部１８０が検出した表示処理装置１００の方向を示す縦向き、横向き等の情報は、検出方向情報として、制御ユニット１７０へ出力される。
【００４７】
また、制御ユニット１７０は、制御部１７１、記録部１７２等の各種機構を備えている。
【００４８】
制御部１７１は、ＣＰＵ（Central Processing Unit ）等の情報処理回路、時計回路等の各種回路を備え、制御ユニット１７０の本体として、表示処理装置１００の処理全般を制御する。
【００４９】
記録部１７２は、不揮発性メモリであるＲＯＭ（Read Only Memory）１７２ａ、揮発性メモリであるＲＡＭ（Random Access Memory）１７２ｂ等の各種メモリを備えている。また、ＲＯＭ１７２ａには、本発明の表示処理プログラムＰＲＧ等の各種プログラム及びデータが記録されている。
【００５０】
ＲＯＭ１７２ａとしては、ＨＤＤ（Hard Disk Drive）等の磁気記録機構、ＳＳＤ（Solid State Disk）等の不揮発性半導体記録機構等の不揮発性メモリが用いられる。ＲＡＭ１７２ｂとしては、ＳＤＲＡＭ（Synchronous Dynamic Random Access Memory）、ＳＲＡＭ（Static Random Access Memory）等の揮発性メモリが用いられる。なお、ＲＯＭ１７２ａには、本発明の表示処理プログラムＰＲＧだけでなく、様々な処理を実行する様々なアプリケーションプログラム及びデータが記録されている。
【００５１】
さらに、ＲＯＭ１７２ａの記録領域の一部は、学習用コンテンツ、辞書用コンテンツ等のコンテンツデータＣを記録するデータベースＤＢとして用いられている。学習用コンテンツ、辞書用コンテンツ等のコンテンツデータＣには、例えば、単語帳、辞書、参考書等の用途に用いられるテキストデータ及び画像データが含まれており、テキストデータ及び画像データには、色データが付与されている。
【００５２】
また、ＲＡＭ１７２ｂの記録領域の一部は、制御部１７１が各種プログラムを実行する際に発生するデータを一時的に記憶するワークメモリとして用いられる。
【００５３】
そして、制御部１７１は、ＲＯＭ１７２ａに記録されている表示処理プログラムＰＲＧを読み取ってＲＡＭ１７２ｂに記憶させ、表示処理プログラムＰＲＧに含まれる各種手順を実行することにより、コンピュータは、本発明の表示処理装置１００として機能する。なお、補助記憶部１６０に、本発明の表示処理プログラムＰＲＧが記録された記録媒体ＲＥＣを挿入し、記録媒体ＲＥＣに記録されている表示処理プログラムＰＲＧを読み取って、各種手順を実行するようにしても良い。
【００５４】
図３は、本発明に係る表示処理装置１００が備えるコンテンツデータＣに含まれるテキストデータの一例を概念的に示す説明図である。図３に示すコンテンツデータＣのテキストデータは、英語辞書コンテンツとして記録されているデータであるが、後述するように学習用の英単語コンテンツとしても用いられるテキストデータである。コンテンツデータＣに含まれるテキストデータには、標準色（黒）、赤、緑等の色データが付与されており、通常は、付与されている色データに係る色で表示領域１２１ａに表示される。例えば、図３に示す例では、「succeeded 」との語句には、色データとして「赤」が付与されている。なお、本願の図面においては、表現上、色データとして「赤」が付与された文字、及び赤色で表示する文字については、実線の下線を付して示すものとする。
【００５５】
色データは、例えば、テキストデータに含まれる文字又は文法単位毎に付与されている。なお、本願において文字とは、ひらがな、カタカナ、漢字、英文字等の文字のみを示すものではなく、テキストデータの表示単位となる数字、記号、絵文字等のキャラクタをも含む概念である。本願において文法単位とは、単語、文節、文、文章、段落等の複数の文字からなる文字列を示す概念である。なお、色データの付与は、例えば、ＨＴＭＬ（Hyper Text Markup Language）、ＸＭＬ（eXtensible Markup Language）等のマークアップ言語を用いてコンテンツデータＣを作成することにより、テキストデータに対して、任意の文字に対する色データの付与を行うことができる。
【００５６】
図３に示したコンテンツデータＣに含まれるテキストデータでは、「標準色」又は「赤」が付与されたテキストのみを例示している。ただし、これに限るものではなく、例えば、英語にて示されたテキストに「緑」を付与し、日本語にて示されたテキストに「標準色」又は「赤」を付与する等、学習効率に応じて適宜設定することが可能である。
【００５７】
また、コンテンツデータＣに含まれる画像データにて示される画像の一部又は全部に色データを付与するようにしても良い。例えば、数学用のコンテンツにおいて、幾何学のグラフの一部に「赤」を付与し、公式の一部に「緑」を付与するようにしても良い。
【００５８】
このように、コンテンツデータＣは、様々な用途に、適宜展開することが可能であり、コンテンツデータＣに含まれる内容及び付与すべき色データも適宜展開することが可能である。
【００５９】
次に本発明の表示処理装置１００の使用方法及び処理について説明する。図４は、本発明の表示処理装置１００の表示領域１２１ａに表示された画像の一例を示す説明図である。図４は、本発明に係る表示処理装置１００の初期画面として表示領域１２１ａに表示される画像の一例を示している。
【００６０】
図４に示す初期画面は、コンテンツデータＣの選択に用いられる画像が、コンテンツ選択アイコンｉ１として画面内に示されている。図４に例示したコンテンツ選択アイコンｉ１は、数学コンテンツ、英単語コンテンツ等のコンテンツデータＣを示している。ユーザは、所望するコンテンツ選択アイコンｉ１を指定する入力を行うことにより、当該コンテンツ選択アイコンｉ１が示すコンテンツを使用することが可能となる。
【００６１】
また、画面内の左上側には、コンテンツデータＣの使用方法の選択に用いられる画像が、使用方法選択アイコンｉ２として示されている。使用方法選択アイコンｉ２は、使用するコンテンツデータＣを選択することにより、選択したコンテンツデータＣの使用方法として表示される。使用方法選択アイコンｉ２として示される使用方法として、図４では、「学習をする」等の使用方法の概要が例示されており、更に、「つづき」、「新規」等の使用方法の詳細が例示されている。
【００６２】
また、画面内の左下側には、コンテンツデータＣの他の使用方法が、使用方法選択テキストｉ３として示されている。
【００６３】
さらに、画面内の右上側には、表示領域１２１ａ内のテキストデータの表示方向を切り替える「縦切替」と示された方向切替アイコンｉ４が示されている。
【００６４】
ユーザは、コンテンツ選択アイコンｉ１にてコンテンツデータＣを選択する入力を行うことにより、コンテンツデータＣに係るコンテンツを使用することが可能となる。なお、本願では、指示具１４０を用いて様々な操作を行う形態を例示しているため、コンテンツデータＣの選択を、コンテンツ選択アイコンｉ１に対する指示にて行う形態を例示しているが、学習帳キー１５１ｄにこれらの選択機能を割り当てるようにしても良い。
【００６５】
図５は、本発明に係る表示処理装置１００のコンテンツ使用開始処理の一例を示すフローチャートである。本発明の表示処理装置１００は、コンテンツの使用を開始する入力を受け付けて、表示処理プログラムＰＲＧ等の各種プログラムを実行する制御部１７１の制御により、コンテンツ使用開始処理の実行を開始する。
【００６６】
制御部１７１は、選択されたコンテンツに係るコンテンツデータＣをＲＯＭ１７２ａから読み取る（Ｓ１０１）。そして、制御部１７１は、表示部１２１の表示領域１２１ａ内に、所定の基準背景色を背景として、コンテンツデータＣに含まれる表示内容を、付与されている色データに係る色で表示する（Ｓ１０２）。
【００６７】
このようにして、コンテンツ使用開始処理が実行される。
【００６８】
図６は、本発明に係る表示処理装置１００の表示領域１２１ａに表示された画像の一例を示す説明図である。図６は、コンテンツ使用開始処理にて表示される画像を示している。図６に示す画像は、コンテンツデータＣとして英単語コンテンツを選択しており、所定の基準背景色、ここでは白色を背景として、表示内容であるテキストデータが表示されている。表示されているテキストデータは、付与されている色データに係る色で表示されている。すなわち、標準色の色データが付与されているテキストデータは黒い文字、赤の色データが付与されているテキストデータは赤い文字、そして緑の色データが付与されているテキストデータは緑の文字として表示されている。なお、以降の説明において、必要に応じて基準背景色の領域を基準色領域Ａ１として示す。
【００６９】
画像右下には、背景色を示すタブ画像Ｔが示されており、図６に示す画像では、背景色が基準背景色であることを示すタブ画像Ｔ１が、最上位のレイヤであることを示す画像として示されている。
【００７０】
また、ユーザは、予め色データが付与されている表示内容だけでなく、任意の表示内容に対して表示色を変更させることができる。図７は、本発明に係る表示処理装置１００の表示色指定変更処理の一例を示すフローチャートである。表示色指定変更処理は、ユーザが任意の表示内容を指定して、表示色を変更させる操作を行った場合に実行される処理である。本発明の表示処理装置１００は、表示内容を指定して表示色を変更させる操作を受け付けて、表示処理プログラムＰＲＧ等の各種プログラムを実行する制御部１７１の制御により、表示色指定変更処理の実行を開始する。
【００７１】
制御部１７１は、入力部１２２により、表示内容の指定を受け付け（Ｓ２０１）、受け付けた表示内容の表示色を変更する（Ｓ２０２）。ステップＳ２０１〜Ｓ２０２の処理は、例えば、表示内容の表示色を変更する蛍光ペンモードを設け、蛍光ペンモード下で、表示内容の指定を行うことにより実行される。即ち、表示色指定変更処理は、例えば、英単語帳に蛍光ペンでマーキングを行う行為を模した処理である。
【００７２】
このようにして、表示色指定変更処理が実行される。
【００７３】
図８Ａ及び図８Ｂは、本発明に係る表示処理装置１００の表示領域１２１ａに表示された画像及び操作の一例を概念的に示す説明図である。図８Ａ及び図８Ｂは、表示色指定変更処理に係る画像及び画像に対する操作において、図８Ａが処理前の画像及び画像に対する操作を開始する状態を示し、図８Ｂが処理後の画像及び操作終了後の状態を示している。図８Ａ及び図８Ｂでは、表示内容に含まれるテキストデータにより表示されるテキストに対して表示色を変更させる操作の前後について示している。なお、本願の図面においては、表現上、表示色を変更させた文字及び画像を、斜線にて囲った範囲として示す。また、指又は指示具１４０の移動方向を白抜き矢印にて示し、移動前の指示具１４０の位置を破線にて示す。
【００７４】
ユーザは、テキストを指示具１４０にて指定し、図中の白抜き矢印にて示すように、指示具１４０が表示部１２１に触れた状態を維持しながら表示部１２１上を移動させる操作、いわゆるドラッグを行う。ドラッグによる軌跡が表示内容の指定となり、軌跡上に位置するテキストの表示色が変更される。図８Ａ及び図８Ｂに示す画像は、テキストデータに基づくテキストが表示された画像であり、文字単位で表示色を変色させる指定を行うことができる。
【００７５】
図９Ａ及び図９Ｂは、本発明に係る表示処理装置１００の表示領域１２１ａに表示された画像及び操作の一例を概念的に示す説明図である。図９Ａ及び図９Ｂは、表示色指定変更処理に係る画像及び画像に対する操作において、図９Ａが処理前の画像及び画像に対する操作を開始する状態を示し、図９Ｂが処理後の画像及び操作終了後の状態を示している。図９Ａ及び図９Ｂでは、表示内容に含まれる画像データにより表示される画像に対して表示色を変更させる操作の前後について示している。
【００７６】
図９Ａ及び図９Ｂには、数学用のコンテンツにおいて、画像データにより、ＸＹ座標面に示したグラフ及び数式が示されている。図９Ａ及び図９Ｂに示すように、数字、記号等のテキストであっても、分数等の上下の配置が定まっているテキストについては、テキストデータではなく、画像データとして表現される。ユーザは、所望する範囲の指定として、指示具１４０により、表示部１２１上を右方向へドラッグし、続けて下方向へドラッグする操作を行う。ドラッグによる左右方向の軌跡及び上下方向の軌跡を長辺及び短辺として定まる矩形範囲が表示内容に対する領域の指定となり、軌跡により定まる矩形範囲に含まれる画像等の表示内容の表示色が変更される。表示色を変更する矩形範囲は、画像内の一部又は全部に対して任意に指定することができる。
【００７７】
ユーザは、例えば、図６、図８Ｂ又は図９Ｂに例示した画像の状態から、タブ画像Ｔのうち、背景色を赤にするタブ画像Ｔ２又は背景色を緑にするタブ画像Ｔ３を指示する入力を行うことにより、背景色を赤又は緑に変更した変更背景色にて表示される変色領域を設定することができる。タブ画像Ｔ２又はタブ画像Ｔ３を指示する入力とは、例えば、ユーザが表示部１２１の表示領域１２１ａに表示されたタブ画像Ｔ２又はタブ画像Ｔ３の位置に、指又は指示具１４０にて触れることにより行われる。なお、ユーザがタブ画像Ｔ２又はＴ３を指示する入力を行い、背景色を変更する操作は、例えば英語辞書に半透明の赤シート又は緑シートを重畳する行為を模したものである。
【００７８】
図１０は、本発明に係る表示処理装置１００の変色領域設定処理の一例を示すフローチャートである。変色領域設定処理は、図６、図８Ｂ又は図９Ｂに示す画像が表示された状態から、ユーザが、タブ画像Ｔ２又はタブ画像Ｔ３を指示する入力を行った場合に実行される。なお、ここでは、タブ画像Ｔ２を指示する入力を受け付けた場合を例示して説明する。本発明の表示処理装置１００は、タブ画像Ｔ２を指示する入力を受け付けて、表示処理プログラムＰＲＧ等の各種プログラムを実行する制御部１７１の制御により、変色領域設定処理の実行を開始する。
【００７９】
制御部１７１は、入力部１２２により、変更背景色の色を指定する入力を受け付ける（Ｓ３０１）。ステップＳ３０１に示す変更背景色の色の指定は、表示領域１２１ａ（表示部１２１）に重畳された入力部１２２からタブ画像Ｔ２を指示する入力を受け付けることにより行われる。
【００８０】
制御部１７１は、表示領域１２１ａ内に、背景色を変更背景色とした変色領域を設定する（Ｓ３０２）。
【００８１】
そして、制御部１７１は、設定した変色領域に表示すべき表示内容のうち、変更背景色に係る色データが付与された表示内容を不可視化する（Ｓ３０３）。なお、変更背景色に係る色データとは、ここでは、変更背景色と同色の色データを示すが、近似色の色データであってもよい。
【００８２】
ステップＳ３０３の処理において不可視化とは、変更背景色に係る色データが付与されたテキストデータを非表示、又は変更背景色と同色若しくは近似色での表示とすることを示す。表示内容を非表示とすることにより、ユーザは、テキストデータにて示された文字等の表示内容を視認することができなくなる。テキストを変更背景色と同色とすることにより、ユーザは、テキストと変更背景色とを区別することができなくなり、テキストの識別が不可能となる。テキストを変更背景色の近似色とすることにより、ユーザは、テキストを視認することが困難になる。なお、ステップＳ３０３の実体的な処理としては、不可視化という結果を得られるのであれば、どのような処理であってもよい。例えば、テキストを表示するレイヤに対して、変更背景色の半透明のレイヤを所定の透過度で重畳する処理を行うことにより、不可視化が実行される。また、例えば、テキストデータに付与された色データを示すＲＧＢ値と変更背景色を示すＲＧＢ値との関係からテキストデータの表示色を算出する等、適宜表示色の決定方法を定義して不可視化を実行するようにしてもよい。
【００８３】
さらに、制御部１７１は、表示色指定変更処理にて表示色を変更した表示内容のうち、変色領域内に表示すべき表示内容を不可視化する（Ｓ３０４）。ステップＳ３０４の処理における不可視化も、ステップＳ３０３の処理における不可視化と同様であり、表示色を変更した表示内容に対し、非表示、近似色での表示等の表示にて不可視化処理を行う。
【００８４】
このようにして、変色領域設定処理が実行される。
【００８５】
図１１は、本発明に係る表示処理装置１００の表示領域１２１ａに表示された画像及び操作の一例を概念的に示す説明図である。図１１は、変色領域設定処理にて表示される画像を示しており、下方に変色領域Ａ２が設定されている。
【００８６】
図１１に示すように、変色領域Ａ２における背景色は、赤の変更背景色が設定されている。そして、赤の色データが付与されていた表示内容は、不可視化されており、視認することができない状態となっている。図１１に例示する画像では、赤の色データが付与された表示内容が不可視化されている。図１１に示す状態は、英語辞書に半透明の赤シートを重畳し、赤色の文字を不可視とした状態を模している。したがって、ユーザは、見出し語を認識し、その意味を想起することにより、英単語を効果的に学習することができる。
【００８７】
また、表示色を変更した表示内容についても不可視化されている。ただし、表示色を変更せずに不可視化された表示内容と異なり、表示内容を表示するドット領域全体が黒色で示され、文字を識別することができない状態で不可視化されている。これは、英語辞書に、蛍光ペンによるマーキングを行った場合で、赤シートを重畳したときの状態を模したものである。このように、ユーザが指定した任意のテキストデータについても、変色領域Ａ２内に入った場合に不可視化することにより、ユーザは、学習上の弱点を効果的に学習することができる等、優れた効果を奏する。
【００８８】
なお、変色領域設定処理が実行された場合に変色領域となる範囲は、適宜、設定することが可能である。例えば、コンテンツを起動後、最初に変色領域設定処理を実行した場合には、表示領域１２１ａ全体又は表示領域１２１ａの下端のみが変色領域となる初期設定とすることができる。そして、２回目以降は、前回の最後の変色領域が記憶されていて、変色領域設定処理を実行後、その位置が再現されるというように設定することができる。また、変色領域設定処理を実行する都度、初期設定の変色領域が設定される等、適宜設定することが可能である。このようにして設定された変色領域は、ユーザの操作により、適宜、その範囲を移動させることが可能である。
【００８９】
ユーザは、図１１に例示した画像の状態から、変色領域の一部の領域を指定して、変色領域から除外する除外領域として設定する操作を行うことができる。
【００９０】
図１２は、本発明に係る表示処理装置１００の除外領域設定処理の一例を示すフローチャートである。除外領域設定処理は、ユーザの操作により、変色領域の一部を除外領域として設定する処理である。本発明の表示処理装置１００は、変色領域の一部を指定する操作を受け付けて、表示処理プログラムＰＲＧ等の各種プログラムを実行する制御部１７１の制御により、除外領域設定処理の実行を開始する。
【００９１】
制御部１７１は、入力部１２２により、除外領域を設定する操作を受け付け（Ｓ４０１）、受け付けた操作に基づいて、変色領域内の一部の領域を，変色領域から除外する除外領域として設定する（Ｓ４０２）。除外領域では、変色領域による不可視化が解除され、変更背景色に係る色データが付与された表示内容及び表示色を変更した表示内容を視認することが可能となる。
【００９２】
このようにして除外領域設定処理が実行される。
【００９３】
図１３は、本発明に係る表示処理装置１００の表示領域１２１ａに表示された画像の一例を示す説明図である。図１３は、除外領域設定処理にて除外領域Ａ３が設定された画像を示している。図１３に示す画像は、変色領域Ａ２内に除外領域Ａ３が設定されており、不可視化された「succeeded 」との文字が視認可能な状態となっている。図１３に示す画像は、テキストデータに基づくテキストが表示された画像であり、除外領域Ａ３は、文字単位で除外領域Ａ３を設定することができる。
【００９４】
図１４は、本発明に係る表示処理装置１００の表示領域１２１ａに表示された画像の一部の例を拡大して概念的に示す説明図である。図１４は、図１３に示す画像の除外領域Ａ３を拡大して示したものであり、除外領域Ａ３の左端に、変色領域Ａ２として示した赤シートの一部を切り取って巻き取った状態を模した画像が示されている。
【００９５】
図１５は、本発明に係る表示処理装置１００の表示領域１２１ａに表示された画像の一例を示す説明図である。図１５は、除外領域設定処理にて除外領域Ａ３が設定された画像を示している。図１５では、表示内容に画像データが含まれる画像に対して設定された変色領域Ａ２内に、除外領域設定処理にて除外領域Ａ３が設定された状態を示している。図１５に示す画像は、変色領域Ａ２内に除外領域Ａ３が設定されており、不可視化された分数にて示される数式を示す画像が視認可能な状態となっている。図１５に示す画像は、画像データに基づく画像が表示されており、除外領域Ａ３は画像の一部又は全部に対して任意の領域を設定することができる。
【００９６】
このように、本発明では、変色領域のうちで、指定した一部を除外領域として設定することができるので、赤シート等のシートを用いた学習を模すだけでなく、従来の学習法では困難であったシートの一部を任意に切り取る行為を模すことができる。このように新たな学習方法を提供することができ、しかも変色処理等の処理とも含めてユーザの学習状況及び学習方法に応じた効果的な学習ツールを提供することが可能となる。
【００９７】
上述した表示色変更処理、変色領域設定処理、除外領域設定処理、その他、変色領域又は表示内容を移動させる処理等の各種処理は、ユーザが各種入力キー１５１を用いて実行すべき処理を選択することができる。また、ユーザは、入力キー１５１に対する入力だけでなく、表示入力部１２０を用いて操作することにより、実行させる処理の選択、処理に係る範囲の設定等の指定を行うこともできる。即ち、ユーザは、表示入力部１２０の表示領域１２１ａを視認しながら、指又は指示具１４０にて操作を行う。表示処理装置１００は、操作に基づく接触位置、接触範囲及び接触軌跡の入力を表示入力部１２０の入力部１２２にて検出し、検出結果に基づいて各種処理を実行する。これにより、ユーザが、処理を実行する命令を意識することなく、直感的な操作で各種処理を実行させることができるという優れたマンマシンインターフェースを提供することができる。
【００９８】
以降では、上述した各種処理をユーザの処理に基づいて実行する形態について説明する。図１６Ａ及び図１６Ｂは、本発明に係る表示処理装置１００の表示領域操作受付処理の一例を示すフローチャートである。表示領域操作受付処理とは、前述した表示色変更処理、変色領域設定処理、除外領域設定処理、その他、変色領域又は表示内容を移動させる処理等の各種処理を、表示領域１２１ａに表示された画像に対する接触操作に基づいて実施する処理である。本発明の表示処理装置１００は、表示処理プログラムＰＲＧ等の各種プログラムを実行する制御部１７１の制御により、表示領域操作受付処理を実行する。
【００９９】
制御部１７１は、表示入力部１２０にて、指又は指示具１４０の接触による操作を受け付け、接触位置、接触範囲及び接触軌跡を検出する（Ｓ５０１）。
【０１００】
制御部１７１は、初期接触位置が変色領域外か否かを判別する（Ｓ５０２）。初期接触位置とは、指又は指示具１４０が最初に接触した位置、いわゆるペンダウン位置である。ステップＳ５０２では、ペンダウン位置が変色領域外か変色領域内かを判別する。
【０１０１】
ステップＳ５０２において、変色領域外であると判別した場合（Ｓ５０２：ＹＥＳ）、制御部１７１は、表示内容移動処理を実行する（Ｓ５０３）。表示内容移動処理とは、表示内容を移動する処理であり、その具体的な内容及び処理については後述する。
【０１０２】
ステップＳ５０２において、変色領域内であると判別した場合（Ｓ５０２：ＮＯ）、制御部１７１は、最初の移動方向が上下方向か否かを判別する（Ｓ５０４）。ステップＳ５０３では、検出した接触軌跡から最初の移動方向が上下方向か否かを判別する。例えば、上方向へ移動した後、右方向へ移動している場合、最初の移動方向は上下方向（上方向）であると判別する。
【０１０３】
ステップＳ５０４において、最初の移動方向が上下方向であると判別した場合（Ｓ５０４：ＹＥＳ）、制御部１７１は、変色領域移動処理を実行する（Ｓ５０５）。変色領域移動処理とは、変色領域を移動する処理であり、その具体的な内容及び処理については後述する。
【０１０４】
ステップＳ５０４において、最初の移動方向が上下方向ではないと判別した場合（Ｓ５０４：ＮＯ）、制御部１７１は、初期接触位置が変色領域の左端であるか否かを判別する（Ｓ５０６）。ステップＳ５０６では、いわゆるペンダウン位置が矩形状に設定された変色領域の左端、即ち、左側辺であるか否かを判別するものであり、左端であれば、その上下方向の位置は問題としない。また、左端と判別する位置は、左側辺から若干離れていても左端と判定する領域を設けても良い。
【０１０５】
ステップＳ５０６において、初期接触位置が変色領域の左端であると判別した場合（Ｓ５０６：ＹＥＳ）、制御部１７１は、左側方からの除外領域設定処理を実行する（Ｓ５０７）。左側方からの除外領域設定処理とは、左側方から除外領域を設定する処理であり、その具体的な内容及び処理については後述する。
【０１０６】
ステップＳ５０６において、初期接触位置が変色領域の左端ではないと判別した場合（Ｓ５０６：ＮＯ）、制御部１７１は、初期接触位置が変色領域の右端であるか否かを判別する（Ｓ５０８）。ステップＳ５０８では、いわゆるペンダウン位置が、変色領域の右端、即ち、右側辺であるか否かを判別するものである。また、右端と判別する位置は、必ずしも右側辺上に限るものではなく、右側辺から若干離れていても右端と判別する領域を設けても良い。
【０１０７】
ステップＳ５０８において、初期接触位置が変色領域の右端であると判別した場合（Ｓ５０８：ＹＥＳ）、制御部１７１は、右側方からの除外領域解除処理を実行する（Ｓ５０９）。右側方からの除外領域解除処理とは、右側方から除外領域を解除する処理であり、その具体的な内容及び処理については後述する。
【０１０８】
ステップＳ５０８において、初期接触位置が変色領域の右端ではないと判別した場合（Ｓ５０８：ＮＯ）、制御部１７１は、接触範囲が所定の大きさ以上であるか否かを判別する（Ｓ５１０）。ステップＳ５１０では、接触範囲の上下方向及び左右方向の長さ、接触面積等の範囲を示す数値について基準を設け、その基準を超える場合に、接触範囲が所定の大きさ以上であると判別する。接触範囲に係る基準は、指による操作が行われた場合を想定した基準であり、接触範囲が所定の大きさ以上である場合、指による接触と判断し、所定の大きさ未満である場合、指示具１４０による接触であると判断する。
【０１０９】
ステップＳ５１０において、接触範囲が所定の大きさ以上であると判別した場合（Ｓ５１０：ＹＥＳ）、制御部１７１は、除外領域設定／解除処理を実行する（Ｓ５１１）。除外領域設定／解除処理とは、指による操作を前提として、除外領域を設定又は解除する処理であり、その具体的な内容及び処理については後述する。
【０１１０】
ステップＳ５１０において、接触範囲が所定の大きさ未満であると判別した場合（Ｓ５１０：ＮＯ）、制御部１７１は、初期接触位置にテキストデータが有るか否かを判別する（Ｓ５１２）。ステップＳ５１２では、いわゆるペンダウン位置がテキストデータに基づくテキストが表示されている位置か否かを判断する。なお、ペンダウン位置に文字が表示されている場合であっても、その文字が画像データに基づく文字、例えば図形の説明、複雑な数式等の画像の一部に示された文字であるとき、テキストデータは無いと判別する。
【０１１１】
ステップＳ５１２において、初期接触位置にテキストデータが有ると判別した場合（Ｓ５１２：ＹＥＳ）、制御部１７１は、最初の移動方向が左方向であるか否かを判別する（Ｓ５１３）。ステップＳ５１３では、検出した接触軌跡から最初の移動方向が左方向か否かを判別する。
【０１１２】
ステップＳ５１３において、最初の移動方向が左方向であると判別した場合（Ｓ５１３：ＹＥＳ）、制御部１７１は、テキストに対する除外領域設定処理を実行する（Ｓ５１４）。テキストに対する除外領域設定処理とは、テキストデータに基づくテキストが表示された変色領域に対して、文字単位で除外領域を設定する処理であり、その具体的な内容及び処理については後述する。
【０１１３】
ステップＳ５１３において、最初の移動方向が左方向ではないと判別した場合（Ｓ５１３：ＮＯ）、制御部１７１は、テキストに対する除外領域解除処理を実行する（Ｓ５１５）。テキストに対する除外領域解除処理とは、テキストデータに基づくテキストに対して除外領域が設定されている場合に、文字単位で除外領域を解除する処理であり、その具体的な内容及び処理については後述する。
【０１１４】
ステップＳ５１２において、初期接触位置にテキストデータが無いと判別した場合（Ｓ５１２：ＮＯ）、制御部１７１は、初期接触位置に画像が有るか否かを判別する（Ｓ５１６）。ステップＳ５１６では、いわゆるペンダウン位置が画像データに基づく画像が有るか否かを判別する。
【０１１５】
ステップＳ５１６において、初期接触位置に画像が有ると判別した場合（Ｓ５１６：ＹＥＳ）、制御部１７１は、最初の移動方向が左方向であるか否かを判別する（Ｓ５１７）。
【０１１６】
ステップＳ５１７において、最初の移動方向が左方向であると判別した場合（Ｓ５１７：ＹＥＳ）、制御部１７１は、画像に対する除外領域設定処理を実行する（Ｓ５１８）。画像に対する除外領域設定処理とは、画像データに基づく画像が表示された変色領域に対して、除外領域を設定する処理であり、その具体的な内容及び処理については後述する。
【０１１７】
ステップＳ５１７において、最初の移動方向が左方向ではないと判別した場合（Ｓ５１７：ＮＯ）、制御部１７１は、画像に対する除外領域解除処理を実行する（Ｓ５１９）。画像に対する除外領域解除処理とは、画像データに基づく画像に対して除外領域が設定されている場合に、画像に対する除外領域を解除する処理であり、その具体的な内容及び処理については後述する。
【０１１８】
ステップＳ５１６において、初期接触位置に画像が無いと判別した場合（Ｓ５１６：ＮＯ）、制御部１７１は、全範囲に対する除外領域解除処理を実行する（Ｓ５２０）。全範囲に対する除外領域解除処理とは、設定されている除外領域全てを対象とした解除処理であり、その具体的な内容及び処理については後述する。
【０１１９】
以上が、表示領域操作受付処理の基幹となる処理であり、当該処理により実行すべき処理が選択される。次に表示領域操作受付処理の実行により選択された各種処理について説明する。
【０１２０】
図１７は、本発明に係る表示処理装置１００の表示内容移動処理の一例を示すフローチャートである。図１７を用いて説明する表示内容移動処理は、図１６Ａ及び図１６ＢのステップＳ５０３にて実行される処理である。
【０１２１】
制御部１７１は、表示内容を移動させる操作を受け付ける（Ｓ６０１）。表示内容を移動させる操作とは、ユーザが、表示領域１２１ａにおける変色領域外の領域に触れた状態を維持しながら、接触位置を移動させる操作、いわゆるドラッグである。
【０１２２】
制御部１７１は、受け付けた操作に基づいて、表示内容及び除外領域を移動する（Ｓ６０２）。表示内容移動処理により、表示領域１２１ａに表示される表示内容が移動、いわゆるスクロールする。また、表示内容の移動に伴い、除外領域も移動する。そして、表示処理装置１００は、表示内容移動処理後の表示内容、変色領域及び除外領域を表示領域１２１ａに表示し、次の操作の受付待ちの状態で待機する。
【０１２３】
図１８Ａ及び図１８Ｂは、本発明に係る表示処理装置１００の表示領域１２１ａに表示された画像及び操作の一例を概念的に示す説明図である。図１８Ａ及び図１８Ｂは、表示内容移動処理に係る画像及び画像に対する操作において、図１８Ａが処理前の画像及び画像に対する操作を開始する状態を示し、図１８Ｂが処理後の画像及び操作終了後の状態を示している。
【０１２４】
ユーザは、変色領域が設定されていない箇所を指示具１４０にて指定し、図中の白抜き矢印にて示すように、上方向へドラッグを行うことにより、指示具１４０の移動距離に応じて表示内容がスクロールする。また、除外領域は、表示内容に対して設定されていることから、表示内容の移動に伴い移動する。図１８Ａ及び図１８Ｂの例では、除外領域は「pilot succeeded 」に対して設定されている。
【０１２５】
図１９Ａ及び図１９Ｂは、本発明に係る表示処理装置１００の表示領域１２１ａに表示された画像及び操作の一例を概念的に示す説明図である。図１９Ａ及び図１９Ｂは、表示内容移動処理に係る画像及び画像に対する操作において、図１９Ａが処理前の画像及び画像に対する操作を開始する状態を示し、図１９Ｂが処理後の画像及び操作終了後の状態を示している。
【０１２６】
図１９Ａ及び図１９Ｂは、画像データを含む表示内容に対する表示内容移動処理を示している。表示内容に画像データが含まれる場合においても、指示具１４０の移動距離に応じて表示内容及び除外領域がスクロールする。
【０１２７】
このようにして、表示領域操作受付処理における表示内容移動処理が実行される。
【０１２８】
図２０は、本発明に係る表示処理装置１００の変色領域移動処理の一例を示すフローチャートである。図２０を用いて説明する変色領域移動処理は、図１６Ａ及び図１６ＢのステップＳ５０５にて実行される処理である。
【０１２９】
制御部１７１は、変色領域の位置を移動させる操作を受け付ける（Ｓ７０１）。変色領域の位置を移動させる操作とは、ユーザが、変色領域に触れた状態を維持しながら接触位置を移動させる操作である。
【０１３０】
制御部１７１は、受け付けた操作に基づいて、変色領域の位置を変更する（Ｓ７０２）。変色領域移動処理により、表示領域１２１ａに設定された変色領域が移動する。ただし、除外領域の位置は変色領域に含まれている限り移動することは無い。そして、表示処理装置１００は、変色領域移動処理後の表示内容、変色領域及び除外領域を表示領域１２１ａに表示し、次の操作の受付待ちの状態で待機する。
【０１３１】
図２１Ａ及び図２１Ｂは、本発明に係る表示処理装置１００の表示領域１２１ａに表示された画像及び操作の一例を概念的に示す説明図である。図２１Ａ及び図２１Ｂは、変色領域移動処理に係る画像及び画像に対する操作において、図２１Ａが処理前の画像及び画像に対する操作を開始する状態を示し、図２１Ｂが処理後の画像及び操作終了後の状態を示している。
【０１３２】
ユーザは、変色領域を指示具１４０にて指定し、図中の白抜き矢印にて示すように、上方向へドラッグを行うことにより、指示具１４０の移動距離に応じて変色領域の位置が変更される。また、除外領域は、表示内容に対して設定されていることから、変色領域の位置が変更されても、移動することはない。
【０１３３】
図２２Ａ及び図２２Ｂは、本発明に係る表示処理装置１００の表示領域１２１ａに表示された画像及び操作の一例を概念的に示す説明図である。図２２Ａ及び図２２Ｂは、変色領域移動処理に係る画像及び画像に対する操作において、図２２Ａが処理前の画像及び画像に対する操作を開始する状態を示し、図２２Ｂが処理後の画像及び操作終了後の状態を示している。
【０１３４】
図２２Ａ及び図２２Ｂは、画像データを含む表示内容に対する変色領域移動処理を示している。表示内容に画像データが含まれる場合においても、指示具１４０の移動距離に応じて変色領域が移動する。
【０１３５】
このようにして、表示領域操作受付処理における変色領域移動処理が実行される。
【０１３６】
図２３は、本発明に係る表示処理装置１００の除外領域設定処理（側方）の一例を示すフローチャートである。図２３を用いて説明する除外領域設定処理は、図１６Ａ及び図１６ＢのステップＳ５０７にて実行される左側方からの除外領域設定処理である。
【０１３７】
制御部１７１は、接触位置が初期接触位置より右側か否かを判別する（Ｓ８０１）。ステップＳ８０１において、接触位置が初期接触位置より右側とは、接触位置が、ペンダウン（初期接触位置）後、右側へ移動する軌跡を辿ったことを示す。
【０１３８】
ステップＳ８０１において、接触位置が初期接触位置より右側であると判別した場合（Ｓ８０１：ＹＥＳ）、制御部１７１は、変色領域の左端から接触位置までの範囲を除外領域に設定する（Ｓ８０２）。ステップＳ８０２において、接触位置までの範囲とは、接触位置のＸ座標まで、即ち、接触位置を通る上下方向の直線までの範囲を示す。
【０１３９】
ステップＳ８０１において、接触位置が初期接触位置より右側ではないと判別した場合（Ｓ８０１ＮＯ）、除外領域の設定は行わない。
【０１４０】
そして、表示処理装置１００は、除外領域設定処理後の表示内容、変色領域及び除外領域を表示領域１２１ａに表示し、次の操作の受付待ちの状態で待機する。
【０１４１】
図２４Ａ及び図２４Ｂは、本発明に係る表示処理装置１００の表示領域１２１ａに表示された画像及び操作の一例を概念的に示す説明図である。図２４Ａ及び図２４Ｂは、左側方からの除外領域設定処理に係る画像及び画像に対する操作において、図２４Ａが処理前の画像及び画像に対する操作を開始する状態を示し、図２４Ｂが処理後の画像及び操作終了後の状態を示している。
【０１４２】
図２４Ａ及び図２４Ｂに示すように、ユーザは、指示具１４０により、変色領域の左端にペンダウンし、右側へドラッグすることにより、ペンダウン位置からドラッグ後の位置までの範囲が除外領域として設定される。
【０１４３】
このようにして、表示領域操作受付処理における左側方からの除外領域設定処理が実行される。
【０１４４】
図２５は、本発明に係る表示処理装置１００の除外領域解除処理（側方）の一例を示すフローチャートである。図２５を用いて説明する除外領域解除処理は、図１６Ａ及び図１６ＢのステップＳ５０９にて実行される、右側方から除外領域を解除する処理である。
【０１４５】
制御部１７１は、接触位置が初期接触位置より左側か否かを判別する（Ｓ９０１）。ステップＳ９０１において、接触位置が初期接触位置より左側とは、接触位置が、ペンダウン（初期接触位置）後、左側へ移動する軌跡を辿ったことを示す。
【０１４６】
ステップＳ９０１において、接触位置が初期接触位置より左側であると判別した場合（Ｓ９０１：ＹＥＳ）、制御部１７１は、所定速度以上で左へ移動後に離反したか否かを判別する（Ｓ９０２）。ステップＳ９０２において、離反とは、指示具１４０が表示部１２１から離れた状態、いわゆるペンアップを示す。即ち、ステップＳ９０２では、ユーザが、指示具１４０をペンダウン後、素早く左方向へドラッグし、ペンアップする操作を行ったか否かを判定する。
【０１４７】
ステップＳ９０２において、所定速度以上で左へ移動後に離反したのではないと判別した場合（Ｓ９０２：ＮＯ）、制御部１７１は、右端から接触位置までの範囲の除外領域を解除する（Ｓ９０３）。ステップＳ９０３において、接触位置までの範囲とは、接触位置のＸ座標まで、即ち、接触位置を通る上下方向の直線までの範囲を示す。
【０１４８】
ステップＳ９０２において、所定速度以上で左へ移動後に離反したと判別した場合（Ｓ９０２：ＹＥＳ）、除外領域を全て解除する（Ｓ９０４）。
【０１４９】
ステップＳ９０１において、接触位置が初期接触位置より左側ではないと判別した場合（Ｓ９０１：ＮＯ）、除外領域の解除は行わない。
【０１５０】
そして、表示処理装置１００は、除外領域解除処理後の表示内容、変色領域及び除外領域を表示領域１２１ａに表示し、次の操作の受付待ちの状態で待機する。
【０１５１】
図２６Ａ及び図２６Ｂは、本発明に係る表示処理装置１００の表示領域１２１ａに表示された画像及び操作の一例を概念的に示す説明図である。図２６Ａ及び図２６Ｂは、右側方からの除外領域解除処理に係る画像及び画像に対する操作において、図２６Ａが処理前の画像及び画像に対する操作を開始する状態を示し、図２６Ｂが処理後の画像及び操作終了後の状態を示している。なお、図２６Ａ及び図２６Ｂは、ステップＳ９０３として説明したように、右端から接触位置までの範囲の解除領域を解除する場合の除外領域解除処理の前後について示している。
【０１５２】
図２６Ａ及び図２６Ｂに示すように、ユーザが、指示具１４０を所定の速度未満で、左方向へ移動させた場合、移動させた位置までの除外領域が解除される。図２６Ａ及び図２６Ｂでは、除外領域に含まれていた「成功した」の文字が除外領域から解除され、「成功」の文字が変色領域内で不可視化された状態に戻っている。また、除外領域に含まれていた「pilot succeeded 」の文字うち、末尾の「ded 」の文字についての除外領域が解除され、変色領域内で不可視化された状態に戻っている。
【０１５３】
図２７Ａ及び図２７Ｂは、本発明に係る表示処理装置１００の表示領域１２１ａに表示された画像及び操作の一例を概念的に示す説明図である。図２７Ａ及び図２７Ｂは、右側方からの除外領域解除処理に係る画像及び画像に対する操作において、図２７Ａが処理前の画像及び画像に対する操作を開始する状態を示し、図２７Ｂが処理後の画像及び操作終了後の状態を示している。なお、図２７Ａ及び図２７Ｂは、ステップＳ９０４として説明したように、除外領域を全て解除する場合の除外領域解除処理の前後について示している。
【０１５４】
図２７Ａ及び図２７Ｂに示すように、ユーザが、指示具１４０をすばやく左方向へ移動させ、ペンアップした場合、変色領域に設定されていた除外領域が全て解除される。
【０１５５】
このようにして、表示領域操作受付処理における右側方からの除外領域解除処理が実行される。
【０１５６】
図２８は、本発明に係る表示処理装置１００の除外領域設定／解除処理の一例を示すフローチャートである。図２８を用いて説明する除外領域設定／解除処理は、図１６Ａ及び図１６ＢのステップＳ５１１にて実行される、指による操作に基づいて除外領域を設定又は解除する処理である。
【０１５７】
制御部１７１は、接触位置が初期接触位置より右側か否かを判別する（Ｓ１００１）。ステップＳ１００１では、接触した指が右側へ移動する軌跡を辿ったか否かを判別する。
【０１５８】
ステップＳ１００１において、接触位置が初期接触位置より右側であると判別した場合（Ｓ１００１：ＹＥＳ）、制御部１７１は、所定速度以上で右へ移動後に離反したか否かを判別する（Ｓ１００２）。ステップＳ１００２では、ユーザが、指により表示部１２１に接触後、素早く指を右方向へ移動して離したか否かを判別する。
【０１５９】
ステップＳ１００２において、所定速度以上で右へ移動後に離反したのではないと判別した場合（Ｓ１００２：ＮＯ）、制御部１７１は、初期接触位置から接触位置までの範囲を除外領域に設定する（Ｓ１００３）。ステップＳ１００３は、ゆっくり指を右側へ移動することにより、移動した範囲を除外領域に設定する処理である。なお、ステップＳ１００３において、初期接触位置から接触位置までの範囲とは、初期接触位置のＸ座標から接触位置のＸ座標までの範囲を示す。
【０１６０】
ステップＳ１００２において、所定速度以上で右へ移動後に離反したと判別した場合（Ｓ１００２：ＹＥＳ）、制御部１７１は、初期接触位置から変色領域の右端までの範囲を除外領域に設定する（Ｓ１００４）。ステップＳ１００３において、接触位置からとは、接触位置のＸ座標からの範囲を示す。
【０１６１】
ステップＳ１００１において、接触位置が初期接触位置より右側ではないと判別した場合（Ｓ１００１：ＮＯ）、制御部１７１は、所定速度以上で左へ移動後に離反したか否かを判別する（Ｓ１００５）。
【０１６２】
ステップＳ１００５において、所定速度以上で左へ移動後に離反したのではないと判別した場合（Ｓ１００５：ＮＯ）、制御部１７１は、初期接触位置から接触位置までの範囲の除外領域を解除する（Ｓ１００６）。ステップＳ１００６において、初期接触位置から接触位置までとは、初期接触位置のＸ座標から接触位置のＸ座標までの範囲を示す。
【０１６３】
ステップＳ１００５において、所定速度以上で左へ移動後に離反したと判別した場合（Ｓ１００５：ＹＥＳ）、制御部１７１は、初期接触位置から変色領域の右端までの範囲の除外領域を解除する（Ｓ１００６）。ステップＳ１００６において、初期接触位置からとは、初期接触位置のＸ座標からの範囲を示す。
【０１６４】
そして、表示処理装置１００は、除外領域設定／解除処理後の表示内容、変色領域及び除外領域を表示領域１２１ａに表示し、次の操作の受付待ちの状態で待機する。
【０１６５】
図２９Ａ及び図２９Ｂは、本発明に係る表示処理装置１００の表示領域１２１ａに表示された画像及び操作の一例を概念的に示す説明図である。図２９Ａ及び図２９Ｂは、指による除外領域設定／解除処理に係る画像及び画像に対する操作において、図２９Ａが処理前の画像及び画像に対する操作を開始する状態を示し、図２９Ｂが処理後の画像及び操作終了後の状態を示している。なお、図２９Ａ及び図２９Ｂは、ステップＳ１００３として説明したように、ゆっくり指を右側へ移動することにより、移動した範囲を除外領域に設定する処理の前後について示している。
【０１６６】
図２９Ａ及び図２９Ｂに示すように、ユーザが、指を所定の速度未満で、右方向へ移動した場合、移動した位置までの範囲が除外領域に設定される。なお、初期接触位置及び接触位置は、Ｘ座標を基準に判断されるため、上下方向に貫通する範囲が除外領域として設定される。
【０１６７】
図３０Ａ及び図３０Ｂは、本発明に係る表示処理装置１００の表示領域１２１ａに表示された画像及び操作の一例を概念的に示す説明図である。図３０Ａ及び図３０Ｂは、指による除外領域設定／解除処理に係る画像及び画像に対する操作において、図３０Ａが処理前の画像及び画像に対する操作を開始する状態を示し、図３０Ｂが処理後の画像及び操作終了後の状態を示している。なお、図３０Ａ及び図３０Ｂは、ステップＳ１００４として説明したように、素早く指を右側へ移動することにより、初期接触位置から変色領域の右端までの範囲を除外領域に設定する処理の前後について示している。
【０１６８】
図３０Ａ及び図３０Ｂに示すように、ユーザが、指を所定の速度以上で、右方向へ移動して離した場合、変色領域の右端までの範囲が除外領域に設定される。なお、接触位置は、Ｘ座標を基準に判断されるため、上下方向に貫通する範囲が除外領域として設定される。
【０１６９】
図３１Ａ及び図３１Ｂは、本発明に係る表示処理装置１００の表示領域１２１ａに表示された画像及び操作の一例を概念的に示す説明図である。図３１Ａ及び図３１Ｂは、指による除外領域設定／解除処理に係る画像及び画像に対する操作において、図３１Ａが処理前の画像及び画像に対する操作を開始する状態を示し、図３１Ｂが処理後の画像及び操作終了後の状態を示している。なお、図３１Ａ及び図３１Ｂは、ステップＳ１００６として説明したように、ゆっくり指を左側へ移動することにより、移動した範囲の除外領域を解除する処理の前後について示している。
【０１７０】
図３１Ａ及び図３１Ｂに示すように、ユーザが、指を所定の速度未満で、左方向へ移動した場合、移動した位置までの範囲が除外領域から解除される。
【０１７１】
図３２Ａ及び図３２Ｂは、本発明に係る表示処理装置１００の表示領域１２１ａに表示された画像及び操作の一例を概念的に示す説明図である。図３２Ａ及び図３２Ｂは、指による除外領域設定／解除処理に係る画像及び画像に対する操作において、図３２Ａが処理前の画像及び画像に対する操作を開始する状態を示し、図３２Ｂが処理後の画像及び操作終了後の状態を示している。なお、図３２Ａ及び図３２Ｂは、ステップＳ１００７として説明したように、素早く指を左側へ移動することにより、移動した範囲の除外領域を解除する処理の前後について示している。
【０１７２】
図３２Ａ及び図３２Ｂに示すように、ユーザが、指を所定の速度未満で、左方向へ移動した場合、移動した位置までの範囲が除外領域から解除される。
【０１７３】
このようにして、表示領域操作受付処理における除外領域設定／解除処理が実行される。
【０１７４】
図３３は、本発明に係る表示処理装置１００の除外領域設定処理（テキスト）の一例を示すフローチャートである。図３３を用いて説明する除外領域設定処理は、図１６Ａ及び図１６ＢのステップＳ５１４にて実行される、テキストデータにて示される横書きのテキストに対し、除外領域を設定する処理である。
【０１７５】
制御部１７１は、接触位置が初期接触位置より上の行か否かを判別する（１１０１）。ステップＳ１１０１において、接触位置が初期接触位置より上の行とは、横書きで表示されたテキストに対し、接触位置がペンダウン後、上側へ移動する軌跡を辿ったことを示す。
【０１７６】
ステップＳ１１０１において、接触位置が初期接触位置より上の行ではないと判別した場合（Ｓ１１０１：ＮＯ）、制御部１７１は、接触位置が初期接触位置と同じ行の左側であるか否かを判別する（Ｓ１１０２）。
【０１７７】
ステップＳ１１０２において、接触位置が初期接触位置と同じ行の左側ではないと判別した場合（Ｓ１１０１：ＮＯ）、制御部１７１は、初期接触位置から接触位置までのテキストを除外領域に設定する（Ｓ１１０３）。ステップＳ１１０１〜Ｓ１１０２の判別処理では、ペンダウン後の接触位置の軌跡が、例えば、下側の行、右側の文字へ辿った場合、その範囲に含まれるテキストが除外領域に設定される。
【０１７８】
ステップＳ１１０１において、接触位置が初期接触位置より上の行であると判別した場合（Ｓ１１０１：ＹＥＳ）、又はステップＳ１１０２において、接触位置が初期接触位置と同の行の左側であると判別した場合（Ｓ１１０２：ＹＥＳ）、除外領域の設定は行わない。
【０１７９】
そして、表示処理装置１００は、除外領域設定処理後の表示内容、変色領域及び除外領域を表示領域１２１ａに表示し、次の操作の受付待ちの状態で待機する。
【０１８０】
図３４Ａ及び図３４Ｂは、本発明に係る表示処理装置１００の表示領域１２１ａに表示された画像及び操作の一例を概念的に示す説明図である。図３４Ａ及び図３４Ｂは、テキストデータにて示される横書きのテキストに対し、除外領域を設定する処理に係る画像及び画像に対する操作において、図３４Ａが処理前の画像及び画像に対する操作を開始する状態を示し、図３４Ｂが処理後の画像及び操作終了後の状態を示している。
【０１８１】
図３４Ａ及び図３４Ｂに示すように、ユーザは、指示具１４０により、変色領域内のテキスト部分にペンダウンし、右側及び下側へドラッグすることにより、ペンダウン位置からドラッグ後の位置までに含まれるテキストの範囲が除外領域として設定される。なお、下側へドラッグする場合のテキストの範囲とは、例えば、一行下側へドラッグする場合、ペンダウン位置からその行の行末（右端）まで、その下の行の行頭（左端）からドラッグ位置までという範囲となる。
【０１８２】
このようにして、テキストデータにて示される横書きのテキストに対する除外領域設定処理が実行される。
【０１８３】
図３５は、本発明に係る表示処理装置１００の除外領域解除処理（テキスト）の一例を示すフローチャートである。図３５を用いて説明する除外領域解除処理は、図１６Ａ及び図１６ＢのステップＳ５１５にて実行される、テキストデータにて示される横書きのテキストに対して設定された除外領域を解除する処理である。
【０１８４】
制御部１７１は、接触位置が初期接触位置より下の行か否かを判別する（Ｓ１２０１）。ステップＳ１２０１において、接触位置が初期接触位置より下の行とは、横書きで表示されたテキストに対し、接触位置がペンダウン後、下側へ移動する軌跡を辿ったことを示す。
【０１８５】
ステップＳ１２０１において、接触位置が初期接触位置より下の行ではないと判別した場合（Ｓ１２０１：ＮＯ）、制御部１７１は、接触位置が初期接触位置と同じ行の右側であるか否かを判別する（Ｓ１２０２）。
【０１８６】
ステップＳ１２０２において、接触位置が初期接触位置と同じ行の右側ではないと判別した場合（Ｓ１２０２：ＮＯ）、制御部１７１は、所定速度以上で左側へ移動後に離反したか否かを判別する（Ｓ１２０３）。
【０１８７】
ステップＳ１２０３において、所定速度以上で左側へ移動後に離反したのではないと判別した場合（Ｓ１２０３：ＮＯ）、制御部１７１は、初期接触位置から接触位置までのテキストの除外領域を解除する（Ｓ１２０４）。ステップＳ１２０４では、ペンダウン後の接触位置の軌跡が、例えば、上側の行、左側の文字へとゆっくりと辿った場合、その範囲に含まれるテキストに対する除外領域が解除される。
【０１８８】
ステップＳ１２０３において、所定速度以上で左側へ移動後に離反したと判別した場合（Ｓ１２０３：ＹＥＳ）、制御部１７１は、初期接触位置から接触位置までの範囲に一部又は全部が含まれるテキストに係る除外領域について、その除外領域の全体を解除する（Ｓ１２０５）。ステップＳ１２０５では、初期接触位置から接触位置までの軌跡の範囲に除外領域の一部が含まれる場合、その除外領域のうち軌跡の範囲に含まれる部分だけでなく、その除外領域の全体が解除される。また、当然に、初期接触位置から接触位置までの範囲に除外領域が全て含まれる場合、その除外領域の全体が解除される。
【０１８９】
ステップＳ１２０１において、接触位置が初期接触位置より下の行であると判別した場合（Ｓ１２０１：ＹＥＳ）、又はステップＳ１２０２において、接触位置が初期接触位置と同じ行の右側であると判別した場合（Ｓ１２０２：ＹＥＳ）、除外領域の解除は行わない。
【０１９０】
そして、表示処理装置１００は、除外領域解除処理後の表示内容、変色領域及び除外領域を表示領域１２１ａに表示し、次の操作の受付待ちの状態で待機する。
【０１９１】
図３６Ａ及び図３６Ｂは、本発明に係る表示処理装置１００の表示領域１２１ａに表示された画像及び操作の一例を概念的に示す説明図である。図３６Ａ及び図３６Ｂは、テキストデータにて示される横書きのテキストに対して設定された除外領域を解除する処理に係る画像及び画像に対する操作において、図３６Ａが処理前の画像及び画像に対する操作を開始する状態を示し、図３６Ｂが処理後の画像及び操作終了後の状態を示している。
【０１９２】
図３６Ａ及び図３６Ｂに示すように、ユーザは、指示具１４０により、変色領域内のテキスト部分にペンダウンし、左側及び上側へドラッグすることにより、ペンダウン位置からドラッグ後の位置までに含まれるテキストの範囲に設定された除外領域が解除される。なお、上側へドラッグする場合のテキストの範囲とは、例えば、一行上側へドラッグする場合、その行の行頭（左端）からペンダウン位置まで、ドラッグ位置からその前の行の行末（右端）までという範囲となる。
【０１９３】
このようにして、テキストデータにて示される横書きのテキストに対する除外領域解除処理が実行される。
【０１９４】
図３７は、本発明に係る表示処理装置１００の除外領域設定処理（画像）の一例を示すフローチャートである。図３７を用いて説明する除外領域設定処理は、図１６Ａ及び図１６ＢのステップＳ５１８にて実行される、画像データにて示される画像に対し、除外領域を設定する処理である。
【０１９５】
制御部１７１は、接触位置が初期接触位置より右か否かを判別する（１３０１）。
【０１９６】
ステップＳ１３０１において、接触位置が初期接触位置より右であると判別した場合（Ｓ１３０１：ＹＥＳ）、制御部１７１は、接触位置が画像に係る領域内であるか否かを判別する（Ｓ１３０２）。画像に係る領域内とは、画像データにて示される画像が貼り付けられた範囲に含まれているか否かを示す。したがって、例えば、その位置にテキストが表示されている場合、また、空白である場合であったとしても、テキストを示す画像、また、空白を示す画像の範囲であるときは、画像に係る領域内であると判別する。
【０１９７】
ステップＳ１３０２において、接触位置が画像に係る領域内であると判別した場合（Ｓ１３０２：ＹＥＳ）、制御部１７１は、初期接触位置と接触位置とを対角とする矩形領域を除外領域に設定する（Ｓ１３０３）。ステップＳ１３０３では、初期接触位置及び接触位置にて定まる矩形領域の全体が、画像に係る領域内であることから、矩形領域の全体が除外領域として設定される。
【０１９８】
ステップＳ１３０２において、接触位置が画像に係る領域外であると判別した場合（Ｓ１３０２：ＮＯ）、制御部１７１は、初期接触位置と接触位置とを対角とする矩形領域のうち、画像に係る領域を除外領域に設定する（Ｓ１３０４）。ステップＳ１３０４では、初期接触位置及び接触位置にて定まる矩形領域内で、かつ、画像に係る領域が除外領域として設定される。
【０１９９】
ステップＳ１３０１において、接触位置が初期接触位置より右ではないと判別した場合（Ｓ１３０１：ＮＯ）、除外領域の設定は行わない。
【０２００】
そして、表示処理装置１００は、除外領域設定処理後の表示内容、変色領域及び除外領域を表示領域１２１ａに表示し、次の操作の受付待ちの状態で待機する。
【０２０１】
図３８Ａ及び図３８Ｂは、本発明に係る表示処理装置１００の表示領域１２１ａに表示された画像及び操作の一例を概念的に示す説明図である。図３８Ａ及び図３８Ｂは、画像データにて示される画像に対し、除外領域を設定する処理に係る画像及び画像に対する操作において、図３８Ａが処理前の画像及び画像に対する操作を開始する状態を示し、図３８Ｂが処理後の画像及び操作終了後の状態を示している。
【０２０２】
図３８Ａ及び図３８Ｂでは、接触位置が画像に係る領域内である場合を示しており、ステップＳ１３０３として説明したように、初期接触位置及び接触位置にて定まる矩形領域に含まれる領域が除外領域として設定される。
【０２０３】
このようにして、画像データにて示される画像に対する除外領域設定処理が実行される。
【０２０４】
図３９は、本発明に係る表示処理装置１００の除外領域解除処理（画像）の一例を示すフローチャートである。図３９を用いて説明する除外領域解除処理は、図１６Ａ及び図１６ＢのステップＳ５１９にて実行される、画像データにて示される画像に対して設定された除外領域を解除する処理である。
【０２０５】
制御部１７１は、接触位置が初期接触位置より右か否かを判別する（Ｓ１４０１）。
【０２０６】
ステップＳ１４０１において、接触位置が初期接触位置より左であると判別した場合（Ｓ１４０１：ＹＥＳ）、制御部１７１は、接触位置と初期接触位置との間に除外領域が有るか否かを判別する（Ｓ１４０２）。ステップＳ１４０２では、初期接触位置から接触位置までの接触軌跡が、除外領域を通るか否かを判別する。
【０２０７】
ステップＳ１４０２において、接触位置と初期接触位置との間に除外領域があると判別した場合（Ｓ１４０２：ＹＥＳ）、制御部１７１は、所定速度以上で移動後に離反したか否かを判別する（Ｓ１４０３）。
【０２０８】
ステップＳ１４０３において、所定速度以上で移動後に離反したとのではないと判別した場合（Ｓ１４０３：ＮＯ）、制御部１７１は、初期接触位置から接触位置までの画像に係る除外領域を解除する（Ｓ１４０４）。
【０２０９】
ステップＳ１４０３において、所定速度以上で移動後に離反したと判別した場合（Ｓ１４０４：ＹＥＳ）、制御部１７１は、初期接触位置から接触位置までの範囲に一部又は全部が含まれる画像に係る除外領域について、その除外領域の全体を解除する（Ｓ１４０５）。ステップＳ１４０５では、初期接触位置から接触位置までの軌跡の範囲に除外領域の一部が含まれる場合、その除外領域のうち軌跡の範囲に含まれる部分だけでなく、その除外領域の全体が解除される。また、当然に、初期接触位置から接触位置までの範囲に除外領域が全て含まれる場合、その除外領域の全体が解除される。
【０２１０】
ステップＳ１４０１において、接触位置が初期接触位置より左ではないと判別した場合（Ｓ１４０１：ＮＯ）、又はステップＳ１４０２において、接触位置と初期接触位置との間に除外領域はないと判別した場合（Ｓ１４０２：ＮＯ）、除外領域の解除は行わない。
【０２１１】
そして、表示処理装置１００は、除外領域解除処理の表示内容、変色領域及び除外領域を表示領域１２１ａに表示し、次の操作の受付待ちの状態で待機する。
【０２１２】
図４０Ａ及び図４０Ｂは、本発明に係る表示処理装置１００の表示領域１２１ａに表示された画像及び操作の一例を概念的に示す説明図である。図４０Ａ及び図４０Ｂは、画像データにて示される画像に対して設定された除外領域を解除する処理に係る画像及び画像に対する操作において、図４０Ａが処理前の画像及び画像に対する操作を開始する状態を示し、図４０Ｂが処理後の画像及び操作終了後の状態を示している。
【０２１３】
図４０Ａ及び図４０Ｂに示すように、ユーザは、指示具１４０により、変色領域内の画像部分にペンダウンし、左方向へドラッグすることにより、ペンダウン位置からドラッグ後の位置までに含まれる画像に対して設定された除外領域が解除される。
【０２１４】
このようにして、画像データにて示される画像に対する除外領域解除処理が実行される。
【０２１５】
図４１は、本発明に係る表示処理装置１００の除外領域解除処理（全範囲）の一例を示すフローチャートである。図４１を用いて説明する除外領域解除処理は、図１６Ａ及び図１６ＢのステップＳ５２０にて実行される、設定されている除外領域全てを対象とする解除処理である。
【０２１６】
制御部１７１は、指示具１４０による接触位置が、所定速度以上で左方向へ移動後に離反したか否かを判別する（Ｓ１５０１）。
【０２１７】
ステップＳ１５０１において、所定速度以上で左方向へ移動後に離反したと判別した場合（Ｓ１５０１：ＹＥＳ）、制御部１７１は、設定されている全ての除外領域を解除する（Ｓ１５０２）。
【０２１８】
ステップＳ１５０２において、所定速度以上で左方向へ移動後に離反したのではないと判別した場合（Ｓ１５０１：ＮＯ）、除外領域の解除は行わない。
【０２１９】
そして、表示処理装置１００は、除外領域解除後の表示内容、変色領域及び除外領域を表示領域１２１ａに表示し、次の操作の受付待ちの状態で待機する。
【０２２０】
図４２Ａ及び図４２Ｂは、本発明に係る表示処理装置１００の表示領域１２１ａに表示された画像及び操作の一例を概念的に示す説明図である。図４２Ａ及び図４２Ｂは、設定されている除外領域全てを対象とする解除処理に係る画像及び画像に対する操作において、図４２Ａが処理前の画像及び画像に対する操作を開始する状態を示し、図４２Ｂが処理後の画像及び操作終了後の状態を示している。
【０２２１】
図４２Ａ及び図４２Ｂに示すように、ユーザは、左方向へ素早くドラッグすることにより、全ての除外領域が解除される。
【０２２２】
このようにして、除外領域全てを対象とする除外領域解除処理が実行される。
【０２２３】
以上のように、本発明に係る表示処理装置１００では、表示色変更処理、変色領域設定処理、除外領域設定処理、変色領域移動処理、表示内容移動処理等の様々な処理を、指又は指示具１４０の簡単で直感的な操作で実現することができる。
【０２２４】
前記実施の形態は、本発明の無数に存在する実施の形態の一部を例示したに過ぎず、目的、用途、仕様等の様々な要因を加味して適宜設計することが可能である。
【０２２５】
例えば、前記実施の形態では、テキストデータに係るテキストが横書きである形態を示したが、本発明はこれに限らず、例えば、国語、漢文、古文等の科目において、縦書きでテキストを表示する形態に適用する様にしても良い。また、テキストに対する指定においても、文字単位ではなく、句、文節、文、文章、段落等の文法単位で指定することができるようにすることも可能である。
【０２２６】
また、前記実施の形態では、色データとして赤が付与されている形態を例示したが、変色領域の色に対応するのであれば、これに限るものではない。例えば、前述の緑、更にはそれ以外の色を付与し、また、様々な色を混在させ、適宜、シートを選択して不可視化するようにすることができる。
【符号の説明】
【０２２７】
１００  表示処理装置
１２０  表示入力部
１２１  表示部
１２１ａ  表示領域
１２２  入力部
１４０  指示具
１５０  操作部
１７０  制御ユニット
１７１  制御部
１７２  記録部
１８０  方向検出部
Ａ１  基準色領域
Ａ２  変色領域
Ａ３  除外領域
Ｃ  コンテンツデータ
ＰＲＧ  表示処理プログラム
ＲＥＣ  記録媒体
【図１】
2014052667.tif 000003
【図２】
2014052667.tif 000004
【図３】
2014052667.tif 000005
【図４】
2014052667.tif 000006
【図５】
2014052667.tif 000007
【図６】
2014052667.tif 000008
【図７】
2014052667.tif 000009
【図８Ａ】
2014052667.tif 000010
【図８Ｂ】
2014052667.tif 000011
【図９Ａ】
2014052667.tif 000012
【図９Ｂ】
2014052667.tif 000013
【図１０】
2014052667.tif 000014
【図１１】
2014052667.tif 000015
【図１２】
2014052667.tif 000016
【図１３】
2014052667.tif 000017
【図１４】
2014052667.tif 000018
【図１５】
2014052667.tif 000019
【図１６Ａ】
2014052667.tif 000020
【図１６Ｂ】
2014052667.tif 000021
【図１７】
2014052667.tif 000022
【図１８Ａ】
2014052667.tif 000023
【図１８Ｂ】
2014052667.tif 000024
【図１９Ａ】
2014052667.tif 000025
【図１９Ｂ】
2014052667.tif 000026
【図２０】
2014052667.tif 000027
【図２１Ａ】
2014052667.tif 000028
【図２１Ｂ】
2014052667.tif 000029
【図２２Ａ】
2014052667.tif 000030
【図２２Ｂ】
2014052667.tif 000031
【図２３】
2014052667.tif 000032
【図２４Ａ】
2014052667.tif 000033
【図２４Ｂ】
2014052667.tif 000034
【図２５】
2014052667.tif 000035
【図２６Ａ】
2014052667.tif 000036
【図２６Ｂ】
2014052667.tif 000037
【図２７Ａ】
2014052667.tif 000038
【図２７Ｂ】
2014052667.tif 000039
【図２８】
2014052667.tif 000040
【図２９Ａ】
2014052667.tif 000041
【図２９Ｂ】
2014052667.tif 000042
【図３０Ａ】
2014052667.tif 000043
【図３０Ｂ】
2014052667.tif 000044
【図３１Ａ】
2014052667.tif 000045
【図３１Ｂ】
2014052667.tif 000046
【図３２Ａ】
2014052667.tif 000047
【図３２Ｂ】
2014052667.tif 000048
【図３３】
2014052667.tif 000049
【図３４Ａ】
2014052667.tif 000050
【図３４Ｂ】
2014052667.tif 000051
【図３５】
2014052667.tif 000052
【図３６Ａ】
2014052667.tif 000053
【図３６Ｂ】
2014052667.tif 000054
【図３７】
2014052667.tif 000055
【図３８Ａ】
2014052667.tif 000056
【図３８Ｂ】
2014052667.tif 000057
【図３９】
2014052667.tif 000058
【図４０Ａ】
2014052667.tif 000059
【図４０Ｂ】
2014052667.tif 000060
【図４１】
2014052667.tif 000061
【図４２Ａ】
2014052667.tif 000062
【図４２Ｂ】
2014052667.tif 000063